(57)【特許請求の範囲】
【請求項１】
複数の放送の中から選択された放送を受信する受信手段と、
該選択された放送の周波数および／またはプリセット番号を表示する表示手段と、
ユーザからのプリセット登録を開始する指示、プリセット登録を確定する指示、プリセット消去を開始する指示およびプリセット消去を確定する指示を受け付けるプリセットキーと、
ユーザからのプリセット番号アップ／ダウン指示を受け付けるアップ／ダウンキーと、
該表示手段に表示中のプリセット番号をアップまたはダウンさせるプリセット番号アップ／ダウン処理手段と、
該放送をプリセットとして登録するプリセット登録手段と、
該プリセットを消去するプリセット消去手段と、
受信中の放送の周波数がプリセット登録されているか否かを判断する登録判断手段と、
現在のモードを判断するモード判断手段とを備え；
該プリセットキーが操作されたときに、該登録判断手段によって受信中の放送がプリセット登録されていないと判断した場合、該プリセット登録手段が、該表示手段にプリセット番号を表示するとともにプリセット番号確認モードを設定し、
該アップ／ダウンキーが操作されたときに、該モード判断手段によって現在のモードが該プリセット番号確認モードであると判断した場合、プリセット番号アップ／ダウン処理手段が、表示中のプリセット番号をアップまたはダウンさせ、
該プリセットキーが操作されたときに、該モード判断手段によって現在のモードが該プリセット番号確認モードであると判断した場合、該プリセット登録手段が、受信中の放送を該表示中のプリセット番号に対応付けてプリセット登録するとともに該プリセット番号確認モードを解除し；
該プリセットキーが操作されたときに、該登録判断手段によって受信中の放送がプリセット登録されていると判断した場合、該プリセット消去手段がプリセット消去確認モードを設定し、
該プリセットキーが操作されたときに、該モード判断手段によって現在のモードが該プリセット消去確認モードであると判断した場合、該プリセット消去手段が、表示中のプリセット番号に対応するプリセットを消去するとともにプリセット消去確認モードを解除する；受信装置。
【請求項２】
前記アップ／ダウンキーが、ユーザからのプリセット選択指示をさらに受け付け、
プリセットを選択するプリセット選択処理手段をさらに備え、
該アップ／ダウンキーが第１の操作を実行された場合、該プリセット選択処理手段が、前記表示手段に表示中のプリセット番号をアップまたはダウンさせ、アップまたはダウン後のプリセット番号に対応するプリセットを選択する、請求項１に記載の受信装置。
【請求項３】
前記アップ／ダウンキーが、ユーザからのオートチューニング指示をさらに受け付け、
オートチューニングを実行または終了させるオートチューニング処理手段をさらに備え、
該アップ／ダウンキーが第２の操作を実行された場合、該オートチューニング処理手段が、前記受信手段にオートチューニングを開始させるとともにオートチューニングモードを設定し、
該オートチューニングモード中に該アップ／ダウンキーが第１の操作を実行された場合、該オートチューニングを終了させるとともにマニュアルチューニングモードを設定する、請求項２に記載の受信装置。
【請求項４】
前記アップ／ダウンキーが、ユーザからのマニュアルチューニング指示をさらに受け付け、
前記受信手段に受信させる放送の周波数を増減させるマニュアルチューニング処理手段をさらに備え、
前記マニュアルチューニングモード中に、該アップ／ダウンキーが第１の操作を実行された場合、該マニュアルチューニング処理手段が、受信手段に受信させる放送の周波数を増減する、請求項３に記載の受信装置。
【請求項５】
前記プリセット番号確認モード、前記プリセット消去確認モードまたは前記マニュアルチューニングモードが設定されたとき、所定の期間をカウントするタイマー手段をさらに備え、
該タイマー手段が該所定の期間をカウント完了した場合、該プリセット番号確認モード、該プリセット消去確認モードまたは該マニュアルチューニングモードの設定が解除され、
現在のモードが該プリセット番号確認モードまたは該マニュアルチューニングモードである場合には、該タイマー手段が該所定の時間をカウント完了する前に、前記アップ／ダウンキーが操作されれば、該タイマー手段は再び所定の期間をカウントし始める、請求項４に記載の受信装置。
【請求項６】
複数の放送の中から選択された放送を受信する受信手段と、該選択された放送の周波数および／またはプリセット番号を表示する表示手段とを備える受信装置の入力処理方法であり；
ユーザからのプリセット登録を開始する指示、プリセット登録を確定する指示、プリセット消去を開始する指示およびプリセット消去を確定する指示を受け付けるプリセットキーが操作されたときに、現在のモードを判断するステップと、
該プリセットキーが操作されたときに、受信中の放送がプリセット登録されているか否かを判断するステップと、
受信中の放送がプリセット登録されていないと判断された場合に、該表示手段にプリセット番号を表示するとともにプリセット番号確認モードを設定するステップと、
現在のモードが該プリセット番号確認モードであると判断された場合に、ユーザからのプリセット番号アップ／ダウン指示を受け付けるアップ／ダウンキーが操作されれば、表示中のプリセット番号をアップまたはダウンするステップと、
現在のモードが該プリセット番号確認モードであると判断された場合に、該プリセットキーが操作されれば、受信中の放送を該表示中のプリセット番号に対応付けてプリセット登録するとともに該プリセット番号確認モードを解除するステップと、
受信中の放送がプリセット登録されている場合に、プリセット消去確認モードを設定するステップと、
現在のモードが該プリセット消去確認モードであると判断された場合に、該プリセットキーが操作されれば、表示中のプリセット番号に対応するプリセットを消去するとともにプリセット消去確認モードを解除するステップとを含む、入力処理方法。
【発明の詳細な説明】
【技術分野】
【０００１】
本発明は受信装置及び入力処理方法に関し、さらに詳しくは、アップ／ダウンキーおよびプリセットキーのみでプリセット操作および／またはチューニング操作を行うことができる受信装置及び入力処理方法に関する。
【背景技術】
【０００２】
受信装置には、一般に、プリセット機能が備えられている。このプリセット機能により、所望の放送をプリセットとして予め登録しておき（プリセット登録）、後に再び同じ放送局の放送を視聴したい場合に、当該プリセットを呼び出すことによって、容易に当該放送を視聴することができる。より具体的には、放送受信中にユーザがプリセット登録を指示すると、受信装置のマイコン処理部は、受信中の放送の周波数をユーザが所望するプリセット番号と対応付けてプリセットとしてメモリに格納する。これによって、ユーザは、プリセット番号を選択するという簡単な操作で、所望の放送局を選択し受信装置に受信させることができる。
【０００３】
しかし、このプリセット機能を実現するためには、受信装置（もしくは受信装置に付属のリモートコントローラ）が、放送の周波数を選択するためのチューニングキー、所望の放送局をプリセットとして登録するためのプリセット登録キー、プリセットを選択するプリセット選択キー、登録したプリセットを消去するためのプリセット消去キーといった多くの入力キーを備える必要がある。しかし、入力キーを配置するスペースが小さい等の理由によって、受信装置が複数の入力キーを備えることが困難である場合は、プリセット機能を受信装置に搭載することができないという問題がある。
【特許文献１】特開２０００−３３２５７７号
【発明の開示】
【発明が解決しようとする課題】
【０００４】
本発明は上記従来の課題を解決するためになされたものであり、その目的とするところは、アップ／ダウンキーおよびプリセットキーのみでプリセット操作および／またはチューニング操作を行うことができる受信装置及び入力処理プログラムを提供することである。
【課題を解決するための手段】
【０００５】
本発明の好ましい実施形態による受信装置は、複数の放送の中から選択された放送を受信する受信手段と、該選択された放送の周波数および／またはプリセット番号を表示する表示手段と、ユーザからのプリセット登録指示およびプリセット消去指示を受け付けるプリセットキーと、ユーザからのプリセット番号アップ／ダウン指示を受け付けるアップ／ダウンキーと、該表示手段に表示中のプリセット番号をアップまたはダウンさせるプリセット番号アップ／ダウン処理手段と、プリセットを登録するプリセット登録手段と、プリセットを消去するプリセット消去手段と、受信中の放送の周波数がプリセット登録されているか否かを判断する登録判断手段と、現在のモードを判断するモード判断手段とを備え；該プリセットキーが操作されたときに、該登録判断手段によって受信中の放送がプリセット登録されていないと判断した場合、該プリセット登録手段が、該表示手段にプリセット番号を表示するとともにプリセット番号確認モードを設定し、該アップ／ダウンキーが操作されたときに、該モード判断手段によって現在のモードが該プリセット番号確認モードであると判断した場合、プリセット番号アップ／ダウン処理手段が、表示中のプリセット番号をアップまたはダウンさせ、該プリセットキーが操作されたときに、該モード判断手段によって現在のモードが該プリセット番号確認モードであると判断した場合、該プリセット登録手段が、受信中の放送を該表示中のプリセット番号に対応付けてプリセットとして登録するとともに該プリセット番号確認モードを解除し；該プリセットキーが操作されたときに、該登録判断手段によって受信中の放送がプリセット登録されていると判断した場合、該プリセット消去手段がプリセット削除確認モードを設定し、該プリセットキーが操作されたときに、該モード判断手段によって現在のモードが該プリセット消去確認モードであると判断した場合、該プリセット消去手段が、表示中のプリセット番号に対応するプリセットを消去するとともにプリセット削除確認モードを解除する。
【０００６】
好ましい実施形態においては、上記アップ／ダウンキーが、ユーザからのプリセット選択指示をさらに受け付け、プリセットを選択するプリセット選択処理手段をさらに備え、該アップ／ダウンキーが第１の操作を実行された場合、該プリセット選択処理手段が、上記表示手段に表示中のプリセット番号をアップまたはダウンさせ、アップまたはダウン後のプリセット番号に対応するプリセットを選択する。
【０００７】
好ましい実施形態においては、上記アップ／ダウンキーが、ユーザからのオートチューニング指示をさらに受け付け、オートチューニングを実行または終了させるオートチューニング処理手段をさらに備え、該アップ／ダウンキーが第２の操作を実行された場合、該オートチューニング処理手段が、上記受信手段にオートチューニングを開始させるとともにオートチューニングモードを設定し、該オートチューニングモード中に該アップ／ダウンキーが第１の操作を実行された場合、該オートチューニングを終了させるとともにマニュアルチューニングモードを設定する。
【０００８】
好ましい実施形態においては、上記アップ／ダウンキーが、ユーザからのマニュアルチューニング指示をさらに受け付け、上記受信手段に受信させる放送の周波数を増減させるマニュアルチューニング処理手段をさらに備え、上記マニュアルチューニングモード中に、該アップ／ダウンキーが第１の操作を実行された場合、該マニュアルチューニング処理手段が、受信手段に受信させる放送の周波数を増減する。
【０００９】
好ましい実施形態においては、上記プリセット番号確認モード、上記プリセット消去確認モードまたは上記マニュアルチューニングモードが設定されたとき、所定の期間をカウントするタイマー手段をさらに備え、該タイマー手段が該所定の期間をカウント完了した場合、該プリセット番号確認モード、該プリセット消去確認モードまたは該マニュアルチューニングモードの設定が解除され、現在のモードが該プリセット番号確認モードまたは該マニュアルチューニングモードである場合には、該タイマー手段が該所定の時間をカウント完了する前に、上記アップ／ダウンキーが操作されれば、該タイマー手段は再び所定の期間をカウントし始める。
【００１０】
本発明の別の局面において、入力処理方法が提供される。入力処理方法は、複数の放送の中から選択された放送を受信する受信手段と、該選択された放送の周波数および／またはプリセット番号を表示する表示手段とを備える受信装置の入力処理方法であり；ユーザからのプリセット登録指示およびプリセット消去指示を受け付けるプリセットキーが操作されたときに、現在のモードを判断するステップと、該プリセットキーが操作されたときに、受信中の放送がプリセット登録されているか否かを判断するステップと、受信中の放送がプリセット登録されていないと判断された場合に、該表示手段にプリセット番号を表示するとともにプリセット番号確認モードを設定するステップと、現在のモードが該プリセット番号確認モードであると判断された場合に、ユーザからのプリセット番号アップ／ダウン指示を受け付けるアップ／ダウンキーが操作されれば、表示中のプリセット番号をアップまたはダウンするステップと、現在のモードが該プリセット番号確認モードであると判断された場合に、該プリセットキーが操作されれば、受信中の放送を該表示中のプリセット番号に対応付けてプリセットとして登録するとともに該プリセット番号確認モードを解除するステップと、受信中の放送がプリセット登録されている場合に、プリセット削除確認モードを設定するステップと、現在のモードが該プリセット削除確認モードであると判断された場合に、該プリセットキーが操作されれば、表示中のプリセット番号に対応するプリセットを消去するとともにプリセット削除確認モードを解除するステップとを含む。
【発明の効果】
【００１１】
本発明によれば、プリセットキーが押下されたとき、受信中の放送がプリセット登録されていなければ、表示手段にプリセット番号が表示されるとともにプリセット番号確認モードが設定される。プリセット番号確認モード中にアップ／ダウンキーが押下されれば、表示中のプリセット番号がアップまたはダウンされる。プリセット番号確認モード中にさらにプリセットキーが押下されれば、受信中の放送が表示中のプリセット番号に対応付けてプリセットとして登録される。また、プリセットキーが押下されたとき、受信中の放送がプリセット登録されたものである場合に、プリセット削除確認モードが設定される。さらにプリセットキーが押下されれば、表示中のプリセット番号のプリセットが消去されるとともにプリセット削除確認モードが解除される。これにより、アップ／ダウンキーおよびプリセットキーのみでプリセット操作を行うことができ、入力キー配置スペースが小さい場合であっても、プリセット機能を搭載することができる。
【００１２】
さらに、アップ／ダウンキーが第１の操作を実行された場合、表示手段に表示中のプリセット番号がアップまたはダウンされ、アップまたはダウン後のプリセット番号に対応付けられたプリセットが選択され、このプリセットに登録されている放送が受信される。アップ／ダウンキーが第２の操作を実行された場合は、オートチューニングが開始されるとともにオートチューニングモードが設定される。オートチューニングモード中にアップ／ダウンキーが押下された場合、オートチューニングが終了されるとともにマニュアルチューニングモードが設定される。マニュアルチューニングモード中に、アップ／ダウンキーが押下された場合、受信手段に受信させる放送の周波数をアップまたはダウンする。これにより、チューニング操作をアップ／ダウンキーのみで操作できるので、さらに入力キー配置スペースを小さくすることができる。
【発明を実施するための最良の形態】
【００１３】
以下、本発明の好ましい実施形態による受信装置について、ラジオ放送を受信することができる受信装置１を例に、図を参照して説明するが、本発明はこれらの実施形態には限定されない。なお、図中同一又は相当部分には同一符号を付してその説明を援用する。
【００１４】
まず、本発明の実施形態である受信装置１を、図１を参照して詳細に説明する。図１は、受信装置１を示す概略ブロック図である。受信装置１は、チューナー部１１、マイコン処理部１２、表示部１３、入力部１４、およびオーディオ処理部１５を備える。
【００１５】
チューナー部１１は、アンテナ１１１で受信される複数の放送の中から、後述のマイコン処理部１２からの指示に基づいて選択された１つの放送を受信する。チューナー部１１は、受信した放送の音声信号をオーディオ処理部１５に供給する。オーディオ処理部１５は、例えばデジタル信号であれば、受信した音声信号を復号化およびデジタル／アナログ変換して、外部に接続されたスピーカー１６に供給し音声を再生する。
【００１６】
表示部１３は、チューナー部１１で現在受信している放送の周波数を表示するものであり、例えばＬＣＤ（Ｌｉｑｕｉｄ  Ｃｒｙｓｔａｌ  Ｄｉｓｐｌａｙ）等により構成される。受信中の周波数が後述するプリセット登録によって登録されたものである場合、表示部１３はその周波数に対応付けられたプリセット番号ｎ（詳細は後述）を表示する。
【００１７】
入力部１４は、ユーザからの指示を受け付けて、後述のマイコン処理部１２にユーザの指示を伝達するものであり、受信装置1に設けられた操作キー又はリモコンの操作キー等である。入力部１４は、アップ／ダウンキー１４１およびプリセットキー１４２を有する。アップ／ダウンキー１４１は、チューナー部１１に受信させる放送の周波数を増減させるアップキーとダウンキーとを含む。周波数の選択方法としては、アップキーまたはダウンキーが所定時間未満押下（短押し）されることによって、そのキー押下毎に周波数をアップまたはダウンさせるマニュアルチューニングと、アップキーまたはダウンキーが所定時間以上押下（長押し）されることによって、受信可能な周波数を自動的にアップ探索またはダウン探索するオートチューニングと、予めプリセット登録されている周波数Ｆｎを、その登録された周波数Ｆｎ毎に対応付けられたプリセット番号ｎを選択することによって受信周波数を選択するプリセット選択とがある。また、アップ／ダウンキー１４１は、マイコン処理部１２が後述のプリセット番号確認モード中に、プリセット登録させたい周波数に対応付けるプリセット番号ｎをアップまたはダウンするためのものでもある。なお、アップ／ダウンキー１４１は、押下されていないとき、当該キーから出力される入力信号はローベルである。キーが押下されたとき、入力信号がローレベルからハイレベルに変化する。キーが押下され続けているときは、入力信号はハイレベルを継続する。キーが押下状態から解除されたとき、入力信号はハイレベルからローレベルに変化する。
【００１８】
プリセットキー１４２は、チューナー部１１で受信中である放送の周波数をプリセット番号ｎに対応付けて後述のプリセットテーブルに登録（プリセット登録）、および、すでにプリセット登録されている周波数Ｆｎのうち１つを選択して消去（プリセット消去）するためのものである。なお、プリセットキー１４２は、押下されていないとき、当該キーから出力される入力信号はローベルであり、キーが押下されているときはハイレベルである。
【００１９】
マイコン処理部１２は、受信装置１全体の動作を制御するものであり、アップ／ダウンキー処理部１２１、プリセットキー処理部１２２、タイマー部１２３およびメモリ部１２４を含む。マイコン処理部１２は、メモリ部１２４に格納された受信装置１の動作プログラムに基づいて、受信装置１の各種処理を実行する。アップ／ダウンキー処理部１２１は、ユーザからのプリセット選択指示、プリセット番号アップ／ダウン指示、オートチューニング指示およびマニュアルチューニング指示に応じて、プリセット選択処理、プリセット番号アップ／ダウン処理、オートチューニング処理およびマニュアルチューニング処理を実行する。プリセット選択処理において、アップ／ダウンキー処理部１２１は、プリセット登録した周波数Ｆｎの中から所望する周波数Ｆｎに対応付けられたプリセット番号ｎを選択する。プリセット番号アップ／ダウン処理において、アップ／ダウンキー処理部１２１は、所望する放送の周波数をプリセット登録するときに、登録させたい周波数に対応付けるプリセット番号ｎを選択する。オートチューニング処理において、アップ／ダウンキー処理部１２１は、チューナー部１１に受信可能な放送を自動的に探索開始または終了する。マニュアルチューニング処理において、アップ／ダウンキー処理部１２１は、チューナー部１１に受信させる放送の周波数を増減させる。また、プリセットキー処理部１２２は、ユーザからのプリセット登録指示およびプリセット消去指示に応じて、プリセット登録処理およびプリセット消去処理を実行する。プリセットキー処理部１２２は、プリセット登録処理ではチューナー部１１で受信中である放送の周波数をプリセット登録し、プリセット消去処理ではすでにプリセット登録されている周波数Ｆｎのうち１つを選択して消去する。
【００２０】
タイマー部１２３は、キータイマー、チューニングタイマーおよびプリセットタイマーをカウントダウンする。本例における各タイマーのカウント値の初期値は０ｍｓであり、各処理において３０００ｍｓにセットされてカウントダウンされる。キータイマーは、アップ／ダウンキー１４１が短押しされたか長押しされたかを判断するためのものである。セットされたキータイマーがタイマー部１２３によりカウントダウンされて０ｍｓになれば、マイコン処理部１２はアップ／ダウンキー１４１が長押しされたと判断する。キータイマーのカウント値＞０ｍｓのときにアップ／ダウンキー１４１の押下が解除されれば、マイコン処理部１２はアップ／ダウンキー１４１が短押しされたと判断する。チューニングタイマーは、チューナー部１１に受信させる周波数を手動で増減させるマニュアルチューニングモード（詳細は後述）の期間を規定するためものである。プリセットタイマーは、受信中の周波数をプリセット登録するときに、その周波数に対応付けるプリセット番号ｎを選択するプリセット番号確認モード（詳細は後述）の期間を規定するためものである。
【００２１】
メモリ部１２４は、下記表１に示すプリセットテーブルを格納している。プリセットテーブルはプリセット番号ｎと周波数Ｆｎとのフィールドを含む。プリセット登録の際、受信中の放送の周波数がプリセット番号ｎに対応付けられてプリセットテーブルに登録される。
【表１】
0004424397.tif 000002
【００２２】
さらにメモリ部１２４は、下記表２に示すように動作モードテーブルを格納している。動作モードテーブルは、マイコン処理部１２がプリセット番号確認モード、プリセット消去確認モード、オートチューニングモードまたはマニュアルチューニングモードであるか否かを示すフラグ情報を含む。それぞれ、フラグ情報が１であれば、マイコン処理部１２がそのフラグ情報に対応付けられたモードであることを示し、０であればそのモードでないことを示す。例えば、表２のように、プリセット番号確認モードのフラグ情報が１であれば、マイコン処理部１２はプリセット番号確認モード中である。以下、各モードについて説明する。
【表２】
0004424397.tif 000003
【００２３】
＜プリセット番号確認モード＞
ユーザが受信中の周波数をプリセット登録する場合、プリセットキー１４２が押下される。このとき、動作モードテーブルのプリセット番号確認モードのフラグ情報が１にされ、マイコン処理部１２のモードがプリセット番号確認モードとなる。また、プリセットタイマーのカウント値が３０００ｍｓにセットされ、カウントダウンが開始される。マイコン処理部１２のモードがプリセット番号確認モードであるとき、ユーザのアップ／ダウンキー１４１操作によって、プリセット登録する周波数に対応付けるプリセット番号ｎが選択可能である。また、プリセットタイマーのカウント値が０ｍｓまでカウントダウンされる前にアップ／ダウンキー１４１が押下されれば、その押下毎にプリセット番号ｎがアップまたはダウンされ、さらにプリセットタイマーのカウント値が３０００ｍｓにセットされてプリセット番号確認モードが継続される。その後再びプリセットキー１４２が押下されれば、受信中の周波数が、選択したプリセット番号ｎに対応付けられてプリセットテーブルに登録される。そして動作モードテーブルのプリセット番号確認モードのフラグ情報が０にされて、マイコン処理部１２はプリセット番号確認モードが解除される。また、プリセットタイマーがカウントダウンされてカウント値が０ｍｓになった場合、プリセット登録が実行されないまま、動作モードテーブルのプリセット番号確認モードのフラグ情報が０にされて、マイコン処理部１２はプリセット番号確認モードが解除される。
【００２４】
＜プリセット消去確認モード＞
ユーザが登録済みの周波数Ｆｎをプリセットテーブルから消去する場合、消去を所望する周波数Ｆｎに対応付けられているプリセット番号ｎが選択され、プリセットキー１４２が押下される。このとき、動作モードテーブルのプリセット消去確認モードのフラグ情報が１にされ、マイコン処理部１２のモードがプリセット消去確認モードとなる。また、プリセットタイマーのカウント値が３０００ｍｓにセットされ、カウントダウンが開始される。マイコン処理部１２のモードがプリセット消去確認モードであるときに、プリセット消去する周波数Ｆｎに対応付けられているプリセット番号ｎをユーザが確認する。その後再びプリセットキー１４２が押下されれば、プリセットテーブルから選択した周波数Ｆｎが消去される。そして、動作モードテーブルのプリセット消去確認モードのフラグ情報が０にされ、マイコン処理部１２はプリセット消去確認モードが解除される。また、プリセットタイマーがカウントダウンされてカウント値が０ｍｓになった場合、プリセット消去が実行されないまま、動作モードテーブルのプリセット消去確認モードのフラグ情報が０にされて、マイコン処理部１２はプリセット消去確認モードが解除される。
【００２５】
＜オートチューニングモード＞
ユーザが受信装置１にオートチューニングを実行させる場合、アップ／ダウンキー１４１が長押しされる（押下時間が３０００ｍｓ以上）。マイコン処理部１２によってアップ／ダウンキー１４１が長押しされたと判断されれば、動作モードテーブルのオートチューニングモードのフラグ情報が１にされ、マイコン処理部１２のモードがオートチューニングモードとなる。マイコン処理部１２のモードがオートチューニングモードであるとき、マイコン処理部１２がチューナー部１１に、受信可能な周波数を探索させる。オートチューニングによって、受信可能な周波数が探索された場合に、動作モードテーブルのオートチューニングのフラグ情報が０にされ、マイコン処理部１２はオートチューニングモードが解除される。
【００２６】
＜マニュアルチューニングモード＞
オートチューニング中に、ユーザが手動による受信周波数の増減を所望する場合、アップ／ダウンキー１４１が短押しされる（押下時間が３０００ｍｓ未満）。マイコン処理部１２によってアップ／ダウンキー１４１が短押しされたと判断されれば、動作モードテーブルのマニュアルチューニングモードのフラグ情報が１にされ、オートチューニングモードのフラグ情報が０にされ、マイコン処理部１２のモードがオートチューニングモードからマニュアルチューニングモードに切り替わる。また、チューニングタイマーのカウント値が３０００ｍｓにセットされ、０ｍｓまでカウントダウンされる前に再度アップ／ダウンキー１４１が押下されれば、その押下毎にチューナー部１１に受信させる放送の周波数が増減され、さらにチューニングタイマーのカウント値が３０００ｍｓにセットされてマニュアルチューニングモードが継続される。チューニングタイマーのカウント値が０ｍｓになった場合、動作モードテーブルのマニュアルチューニングモードのフラグ情報が０にされて、マイコン処理部１２はマニュアルチューニングモードが解除される。
【００２７】
以上の構成を有する受信装置１について、その動作を説明する。図２は、マイコン処理部１２のメイン処理のフロー図である。マイコン処理部１２は、メイン処理を継続的に実行し、アップ／ダウンキー１４１およびプリセットキー１４２からの入力の有無を検出し、所定の処理を実行する。具体的には、マイコン処理部１２は、アップ／ダウンキー１４１からの入力の有無を判断する（Ｓ１）。具体的には、アップ／ダウンキー１４１からの入力信号が、ローレベルからハイレベルに変化したとき、または、ハイレベルを継続しているとき、または、ハイレベルからローレベルに変化したときに、アップ／ダウンキー１４１から入力が有ると判断する（Ｓ１：ＹＥＳ）。アップ／ダウンキー１４１からの入力信号がローレベルを継続しているときは、アップ／ダウンキー１４１からの入力が無いと判断する（Ｓ１：ＮＯ）。ステップＳ１において、アップ／ダウンキー１４１から入力が有ると判断すると（Ｓ１：ＹＥＳ）、マイコン処理部１２はアップ／ダウンキー処理を実行する（Ｓ１００）。
【００２８】
アップ／ダウンキー処理Ｓ１００を終了した後、若しくは、アップ／ダウンキー１４１から入力が無いと判断された場合（Ｓ１：ＮＯ）、マイコン処理部１２はプリセットキー１４２からの入力の有無を判断する（Ｓ２）。具体的には、プリセットキー１４２からの入力信号が、ローレベルからハイレベルに変化したときに、プリセットキー１４２から入力信号があったと判断し（Ｓ２：ＹＥＳ）、マイコン処理部１２はプリセットキー処理Ｓ２００を実行する。また、プリセットキー処理Ｓ２００を終了した後、若しくは、プリセットキー１４２から入力が無いと判断した場合（Ｓ２：ＮＯ）、マイコン処理部１２はタイマーカウントダウン処理を実行する（Ｓ３）。具体的には、キータイマー、チューニングタイマーおよびプリセットタイマーのうち、カウント値がセットされたタイマーが所定の時間だけ減算される。ここで、所定の時間とは、例えば、メイン処理にかかる時間である。マイコン処理部１２はステップＳ３を実行すると、Ｓ１に戻り、同様の処理Ｓ１〜Ｓ３をループ実行する。メイン処理がループ実行されることにより、常にアップ／ダウンキー１４１およびプリセットキー１４２からの入力を監視することができ、セットされたタイマーをカウントダウンすることができる。
【００２９】
次に、アップ／ダウンキー処理Ｓ１００について詳細に説明する。図３は、アップ／ダウンキー処理のフロー図である。マイコン処理部１２は、アップ／ダウンキー１４１からの入力が押下によるものか否かを判断する（Ｓ１０１）。具体的には、アップ／ダウンキー１４１からの入力信号が、ローレベルからハイレベルへの変化である場合にアップ／ダウンキー１４１からの入力が押下によるものと判断する。アップ／ダウンキー１４１からの入力が、押下によるものと判断した場合（Ｓ１０１：ＹＥＳ）、マイコン処理部１２は現在のモードがプリセット番号確認モードであるか否かを判断する（Ｓ１０２）。具体的には、動作モードテーブルのプリセット番号確認モードのフラグ情報が１である場合に、マイコン処理部１２は現在のモードがプリセット番号確認モードであると判断する。現在のモードがプリセット番号確認モードであると判断した場合（Ｓ１０２：ＹＥＳ）、マイコン処理部１２はプリセット番号ｎをアップまたはダウンさせる（Ｓ１０３）。具体的には、マイコン処理部１２は、表示部１３に表示中のプリセット番号ｎを、ｎ＋１にアップまたはｎ−１にダウンさせる。プリセット番号ｎのｎ＋１へのアップまたはｎ−１へのダウンは、アップキーが押下されたかダウンキーが押下されたかで決まる。そして、マイコン処理部１２はプリセットタイマーのカウント値を３０００ｍｓにセットし（Ｓ１０４）、アップ／ダウンキー処理Ｓ１００を終了する。
【００３０】
ステップＳ１０２において、現在のモードがプリセット番号確認モードでないと判断した場合（Ｓ１０２：ＮＯ）、マイコン処理部１２は現在のモードがオートチューニングモードであるか否かを判断する（Ｓ１０５）。具体的には、動作モードテーブルにおいて、オートチューニングモードのフラグ情報が１である場合、マイコン処理部１２は現在のモードがオートチューニングモードであると判断する。現在のモードがオートチューニングモードであると判断した場合（Ｓ１０５：ＹＥＳ）、マイコン処理部１２はオートチューニングを終了する（Ｓ１０６）。具体的には、マイコン処理部１２は、チューナー部１１にオートチューニングを終了させ、動作モードテーブルのオートチューニングモードのフラグを０にする。そして、マイコン処理部１２は、チューニングタイマーのカウント値を３０００ｍｓにセットし（Ｓ１０７）、アップ／ダウンキー処理Ｓ１００を終了する。
【００３１】
ステップＳ１０５において、現在のモードがオートチューニングモードでないと判断した場合（Ｓ１０５：ＮＯ）、マイコン処理部１２は現在のモードがマニュアルチューニングモードであるか否かを判断する（Ｓ１０８）。具体的には、マニュアルチューニングモードのフラグ情報が１である場合、マイコン処理部１２は現在のモードがマニュアルチューニングモードであると判断する。現在のモードがマニュアルチューニングモードであると判断した場合（Ｓ１０８：ＹＥＳ）、マイコン処理部１２はマニュアルチューニング処理を実行する（Ｓ１０９）。具体的には、ステップＳ１で入力のあったアップ／ダウンキー１４１がアップキーである場合、マイコン処理部１２は、表示部１３に表示中の受信周波数を増加させ、ダウンキーである場合は受信周波数を減少させる。そして、マイコン処理部１２は、チューニングタイマーのカウント値を３０００ｍｓにセットし（Ｓ１１０）、アップ／ダウンキー処理Ｓ１００を終了する。
【００３２】
ステップＳ１０８において、現在のモードがマニュアルチューニングモードでないと判断した場合（Ｓ１０８：ＮＯ）、マイコン処理部１２はキータイマーのカウント値を３０００ｍｓにセットし（Ｓ１１１）、アップ／ダウンキー処理Ｓ１００を終了する。
【００３３】
ステップＳ１０１において、アップ／ダウンキー１４１からの入力が押下によるものでないと判断した場合（Ｓ１０１：ＮＯ）、マイコン処理部１２は、次にアップ／ダウンキー１４１からの入力が押下解除によるものか否かを判断する（Ｓ１１２）。具体的には、アップ／ダウンキー１４１からの入力信号が、ハイレベルからローレベルに変化した場合に、マイコン処理部１２はアップ／ダウンキー１４１からの入力が押下解除によるものであると判断する。アップ／ダウンキー１４１からの入力が押下解除によるものでないと判断した場合（Ｓ１１２：ＮＯ）、マイコン処理部１２はキータイマーのカウント値が０ｍｓであるか否かを判断する（Ｓ１１３）。キータイマーのカウント値が０ｍｓであると判断した場合（Ｓ１１３：ＹＥＳ）、マイコン処理部１２はアップ／ダウンキー１４１が長押しされたと判断し、チューナー部１１にオートチューニングを開始させ、動作モードテーブルのオートチューニングモードのフラグ情報を１にする（Ｓ１１４）。キータイマーのカウント値が０ｍｓでないと判断した場合（Ｓ１１３：ＮＯ）、マイコン処理部１２はアップ／ダウンキー処理Ｓ１００を終了する。
【００３４】
ステップＳ１１２において、アップ／ダウンキー１４１からの入力が押下解除によるものであると判断した場合（Ｓ１１２：ＹＥＳ）、マイコン処理部１２はキータイマーのカウント値が０ｍｓであるか否かを判断する（Ｓ１１５）。キータイマーのカウント値が０ｍｓでないと判断した場合（Ｓ１１５：ＮＯ）、マイコン処理部１２は表示部１３に表示中のプリセット番号ｎをアップまたはダウンさせる（Ｓ１１６）。具体的には、Ｓ１で入力されたアップ／ダウンキー１４１がアップキーである場合、マイコン処理部１２は、表示部１３に表示中のプリセット番号ｎからプリセット番号ｎ＋１に変更させ、プリセット番号ｎ＋１に対応する周波数Ｆｎ＋１をチューナー部１１に受信させる。Ｓ１で入力されたアップ／ダウンキー１４１がダウンキーである場合、マイコン処理部１２は、表示部１３に表示中のプリセット番号ｎからプリセット番号ｎ−１に変更させ、プリセット番号ｎ−１に対応する周波数Ｆｎ−１をチューナー部１１に受信させる。そして、マイコン処理部１２は、キータイマーのカウント値を０ｍｓに初期化し（Ｓ１１７）、アップ／ダウンキー処理Ｓ１００を終了する。ステップＳ１１５において、キータイマーのカウント値が０ｍｓであると判断した場合も（Ｓ１１５：ＮＯ）、マイコン処理部１２はアップ／ダウンキー処理Ｓ１００を終了する。
【００３５】
次に、プリセットキー処理Ｓ２００について詳細に説明する。図４は、プリセットキー処理のフロー図である。マイコン処理部１２は、まず、現在のモードがプリセット番号確認モードであるか否かを判断する（Ｓ２０１）。この処理は、ステップＳ１０２と同じである。現在のモードがプリセット番号確認モードであると判断した場合（Ｓ２０１：ＹＥＳ）、マイコン処理部１２はプリセット登録処理を実行する（Ｓ２０２）。具体的には、マイコン処理部１２は、表示部１３に表示中のプリセット番号ｎとチューナー部１１で受信中の周波数とを対応付けてプリセットテーブルに登録する。そして、マイコン処理部１２は、プリセットタイマーのカウント値を０ｍｓに初期化し（Ｓ２０３）、プリセットキー処理Ｓ２００を終了する。
【００３６】
Ｓ２０１において、プリセット番号確認モードでないと判断した場合（Ｓ２０１：ＮＯ）、マイコン処理部１２は現在のモードがプリセット消去確認モードであるか否かを判断する（Ｓ２０４）。具体的には、動作モードテーブルのプリセット消去確認モードのフラグ情報が１である場合、マイコン処理部１２がプリセット消去確認モードであると判断する。プリセット消去確認モードであると判断した場合（Ｓ２０４：ＹＥＳ）、マイコン処理部１２はプリセット消去処理を実行する（Ｓ２０５）。具体的には、マイコン処理部１２は、表示部１３に点滅表示中（詳細は後述）のプリセット番号ｎに対応付けられている周波数Ｆｎをプリセットテーブルから消去する。そして、マイコン処理部１２は、プリセットタイマーのカウント値を０ｍｓに初期化し（Ｓ２０３）、プリセットキー処理Ｓ２００を終了する。
【００３７】
ステップＳ２０４において、プリセット消去確認モードでないと判断した場合（Ｓ２０４：ＮＯ）、マイコン処理部１２は、受信中の周波数がプリセット登録済みか否かを判断する（Ｓ２０６）。具体的には、表示部１３に表示中のプリセットｎに対応付けられて周波数がプリセットテーブルに登録されている場合に、マイコン処理部１２は、受信中の周波数がプリセット登録済みと判断する。受信中の周波数がプリセット登録済みであると判断した場合（Ｓ２０６：ＹＥＳ）、マイコン処理部１２はプリセット消去確認表示処理を実行する（Ｓ２０７）。具体的には、マイコン処理部１２は、表示部１３に表示中のプリセット番号ｎを点滅表示させ、動作モードテーブルのプリセット消去確認モードのフラグ情報を１にする。そして、マイコン処理部１２は、プリセットタイマーのカウント値を３０００ｍｓにセットし（Ｓ２０８）、プリセットキー処理Ｓ２００を終了する。
【００３８】
ステップＳ２０６において、受信中の周波数がプリセット登録済みでないと判断した場合（Ｓ２０６：ＮＯ）、マイコン処理部１２はプリセット番号確認表示処理を実行する（Ｓ２０９）。具体的には、マイコン処理部１２は、表示部１３にプリセット番号ｎを点滅表示させ、動作モードテーブルのプリセット番号確認モードのフラグ情報を１にする。そして、マイコン処理部１２は、プリセットタイマーのカウント値を３０００ｍｓにセットし（Ｓ２０８）、プリセットキー処理Ｓ２００を終了する。
【００３９】
次に、ユーザによるキー操作に沿って、受信装置１の動作を説明する。以下の各操作の説明では断りのない限り、受信装置１の初期状態は、各タイマーが０ｍｓであり、動作モードテーブルにはフラグ情報が１のモードが無いとし、プリセットテーブルには周波数Ｆｎが未登録であるとする。
【００４０】
＜プリセット選択による選局操作＞
本発明に係る受信装置１において、ユーザがプリセットを選択して選局する場合、アップ／ダウンキー１４１が短押されて所望のプリセット番号ｎが選択され、その結果プリセット番号ｎに対応付けられた周波数Ｆｎが選択される（プリセット選択操作）。まず、ユーザがアップ／ダウンキー１４１を押下したとき、マイコン処理部１２は、ステップＳ１において、アップ／ダウンキー１４１から入力が有ると判断する（Ｓ１：ＹＥＳ）。そして、マイコン処理部１２は、アップ／ダウンキー処理Ｓ１００において、アップ／ダウンキー１４１からの入力が押下によるものであると判断する（Ｓ１０１：ＹＥＳ）。この段階では、動作モードテーブルでフラグ情報が１のモードがないので、マイコン処理部１２は、現在のモードがプリセット番号確認モードでない（Ｓ１０２：ＮＯ）、オートチューニングモードでない（Ｓ１０５：ＮＯ）、マニュアルチューニングモードでない（Ｓ１０８：ＮＯ）と判断する。次にマイコン処理部１２はキータイマーのカウント値を３０００ｍｓにセットし（Ｓ１１１）、アップ／ダウンキー処理Ｓ１００を終了する。そして、マイコン処理部１２は、ステップＳ２において、プリセットキー１４２の入力が無いと判断し（Ｓ２：ＮＯ）、タイマーカウントダウン処理を実行し（Ｓ３）、アップ／ダウンキー１４１入力後の初回のメイン処理を終える。
【００４１】
引き続きアップ／ダウンキー１４１が押下され、その間もマイコン処理部１２はメイン処理をループ実行する。メイン処理が繰り返される度にステップＳ３においてキータイマーが所定の時間だけカウントダウンされる。しかし、プリセット選択操作ではアップ／ダウンキー１４１操作が短押し（押下時間３０００ｍｓ未満）であるので、このメイン処理のループ中にキータイマーのカウント値は０ｍｓまで至らない。従って、ユーザのアップ／ダウンキー１４１押下解除以降でのマイコン処理部１２の処理は次の通りである。マイコン処理部１２は、アップ／ダウンキー１４１が押下解除された直後のメイン処理にて、ステップＳ１でアップ／ダウンキー１４１から入力が有ると判断し（Ｓ１：ＹＥＳ）、アップ／ダウンキー処理を実行する（Ｓ１００）。そして、マイコン処理部１２は、Ｓ１０１で、アップ／ダウンキー１４１からの入力が押下によるものでないと判断する（Ｓ１０１：ＮＯ）。次のステップＳ１１２では、マイコン処理部１２は、アップ／ダウンキー１４１からの入力が押下解除によるものと判断する（Ｓ１１２：ＹＥＳ）。そしてマイコン処理部１２は、次のＳ１１５で、キータイマーのカウント値が０ｍｓでないと判断し（Ｓ１１５：ＮＯ）、プリセットをアップまたはダウンさせる（Ｓ１１６）。そして、マイコン処理部１２は、キータイマーのカウント値を０ｍｓに初期化し（Ｓ１１７）、アップ／ダウンキー処理Ｓ１００を終了する。以上により、表示部１３の表示がプリセット番号ｎからプリセット番号ｎ＋１またはプリセット番号ｎ−１に変更され、変更後のプリセット番号に対応する周波数Ｆｎ＋１またはＦｎ−１がチューナー部１１によって受信される。ユーザが再びアップ／ダウンキー１４１を短押ししてプリセット選択操作を行った場合は、上述の一連の処理と同様の処理が実行され、プリセット選択することができる。
【００４２】
＜オートチューニング操作およびマニュアルチューニング操作＞
ユーザは、受信装置１にオートチューニングを実行させたい場合に、アップ／ダウンキー１４１を長押しする。ユーザがアップ／ダウンキー１４１を押下したときのマイコン処理部１２の処理、つまり初回のメイン処理に関しては、プリセット選択操作のときの同じであるので説明を省略する。そして、アップ／ダウンキー１４１が押下されている間、マイコン処理部１２はメイン処理をループ実行する。メイン処理が繰り返される度にＳ３においてキータイマーが所定の時間だけカウントダウンされ、このメイン処理のループ中にキータイマーのカウント値が０ｍｓになる。従って、ユーザのアップ／ダウンキー１４１押下以降でのマイコン処理部１２の処理は次の通りである。マイコン処理部１２は、アップ／ダウンキー１４１が押下された直後のメイン処理にて、ステップＳ１でアップ／ダウンキー１４１から入力が有ると判断し（Ｓ１：ＹＥＳ）、アップ／ダウンキー処理を実行する（Ｓ１００）。そして、マイコン処理部１２は、Ｓ１０１で、アップ／ダウンキー１４１からの入力が押下によるものでないと判断する（Ｓ１０１：ＮＯ）。マイコン処理部１２は、次のステップＳ１１２で、アップ／ダウンキー１４１からの入力が押下解除によるものではないと判断する（Ｓ１１２：ＮＯ）。そしてマイコン処理部１２は、ステップＳ１１３で、キータイマーのカウント値が０ｍｓであると判断し（Ｓ１１３：ＹＥＳ）、チューナー部１１にオートチューニングを開始させ、動作モードテーブルのオートチューニングモードのフラグ情報を１にする（Ｓ１１４）。
【００４３】
そして、マイコン処理部１２のモードがオートチューニングモードであるとき、ユーザがさらにアップ／ダウンキー１４１を押下すると、オートチューニングが停止される。オートチューニング停止から所定の時間、マニュアルチューニングとなる。ユーザはアップ／ダウンキー１４１を押下することにより、チューナー部１１で受信する周波数を増減させることができる。具体的には、マイコン処理部１２のモードがオートチューニングモード中に、アップ／ダウンキー１４１が押下されば、マイコン処理部１２は、ステップＳ１、Ｓ１０１、Ｓ１０２を実行し、ステップ１０５に至る。そして、マイコン処理部１２はステップＳ１０５で現在のモードがオートチューニングモードであると判断すると（Ｓ１０５：ＹＥＳ）、チューナー部１１にオートチューニングを終了させる（Ｓ１０６）。そして、マイコン処理部１２は、チューニングタイマーのカウント値を３０００ｍｓにセットし（Ｓ１０７）、アップ／ダウンキー処理Ｓ１００を終了する。そして、マイコン処理部１２は、メイン処理に戻ってステップＳ２およびステップＳ３の処理を実行し、ステップＳ３でアップ／ダウンキー１４１タイマーをカウントダウンする。そして、マイコン処理部１２は、次にアップ／ダウンキー１４１が押下されるまでメイン処理をループ実行し、ループする度にステップＳ３でチューニングタイマーのカウント値を所定の時間ずつ減算する。マイコン処理部１２は、チューニングタイマーのカウント値が０ｍｓになるまでマニュアルチューニングモードを継続する。
【００４４】
マイコン処理部１２のモードがマニュアルチューニング中（チューニングタイマーのカウント値＞０ｍｓ）にさらにアップ／ダウンキー１４１が押下されると、受信する周波数がアップまたはダウンされ、さらに所定の時間マニュアルチューニングモードが継続される。具体的には、マイコン処理部１２のモードがマニュアルチューニングモード中に、アップ／ダウンキー１４１が押下されたとき、マイコン処理部１２は、ステップＳ１、Ｓ１０１、Ｓ１０２を実行し、今度はステップＳ１０５で現在オートチューニングモードでないと判断する（Ｓ１０５：ＮＯ）。次に、マイコン処理部１２は、ステップＳ１０８においてマニュアルチューニングモードであると判断し（Ｓ１０８：ＹＥＳ）、ステップＳ１で入力のあったアップキーまたはダウンキーに応じて、表示部１３に表示中の受信周波数を増減させる（Ｓ１０９）。そして、マイコン処理部１２は、チューニングタイマーのカウント値を３０００ｍｓにセットし（Ｓ１１０）、アップ／ダウンキー処理Ｓ１００を終了する。これにより、さらにマニュアルチューニングが継続されるので、ユーザは引き続きアップ／ダウンキー１４１を操作することによって、所望の周波数を選択することができる。
【００４５】
＜プリセット登録操作＞
ユーザが視聴中の放送をプリセット登録する場合、プリセットキー１４２が押下されると、表示部１３に表示されるプリセット番号ｎが３０００ｍｓ間点滅表示される。この点滅表示される期間がプリセット登録時のプリセット番号確認モードである。ユーザは、プリセット番号確認モード中に、表示部１３に表示されるプリセット番号ｎを確認しながらアップ／ダウンキー１４１を操作して、登録したいプリセット番号ｎを選択し、プリセットキー１４２を再度押下すると、受信中の周波数をプリセット登録することができる。以下、このときのマイコン処理部１２の処理について説明する。
【００４６】
ユーザがプリセットキー１４２を押下したとき、マイコン処理部１２は、メイン処理において、ステップＳ１でアップ／ダウンキー１４１から入力が無いと判断し（Ｓ１：ＮＯ）、ステップＳ２でプリセットキー１４２から入力が有ると判断する（Ｓ２：ＹＥＳ）。そして、プリセットキー処理Ｓ２００が実行される。この段階では、動作モードテーブルでフラグ情報が１のモードがなく、選択されている周波数がプリセットテーブルに登録されていない状態である。従って、ステップＳ２０１ではプリセット番号確認モードでないと判断し（Ｓ２０１：ＮＯ）、ステップ２０４でプリセット消去確認モードでないと判断し（Ｓ２０４：ＮＯ）、さらにステップＳ２０６でプリセット登録済みでもないと判断する（Ｓ２０６：ＮＯ）。そして、プリセット番号確認表示処理を実行することによって、表示部１３にプリセット番号ｎを点滅表示させ、動作モードテーブルのプリセット番号確認モードのフラグ情報を１にする（Ｓ２０９）。その後ステップＳ２０８で、プリセットタイマーのカウント値が３０００ｍｓにセットされる。これにより、表示部１３に表示されるプリセット番号ｎが点滅表示されるので、ユーザは受信装置１が現在プリセット番号確認モード中であると判断することができる。
【００４７】
マイコン処理部１２のモードがプリセット番号確認モードのとき、ユーザによってアップ／ダウンキー１４１が押下されると、マイコン処理部１２は、メイン処理において、ステップＳ１でアップ／ダウンキー１４１から入力が有ると判断し（Ｓ１：ＹＥＳ）、アップ／ダウンキー処理Ｓ１００を実行する。アップ／ダウンキー処理Ｓ１００では、マイコン処理部１２は、Ｓ１０１でアップ／ダウンキー１４１からの入力が押下によるものと判断し（Ｓ１０１：ＹＥＳ）、Ｓ１０２で現在のモードがプリセット番号確認モードであると判断する（Ｓ１０２：ＹＥＳ）。そして、マイコン処理部１２は、表示部１３に点滅表示中のプリセット番号ｎを、ｎ＋１またはｎ−１に変更する（Ｓ１０３）。そして、マイコン処理部１２は、プリセットタイマーのカウント値を３０００ｍｓにセットし（Ｓ１０４）、アップ／ダウンキー処理Ｓ１００を終了する。これにより、登録したいプリセット番号ｎを選択することができる。
【００４８】
マイコン処理部１２のモードがプリセット番号確認モードのとき、ユーザによってプリセットキー１４２が押下されると、マイコン処理部１２は、メイン処理において、ステップＳ１でアップ／ダウンキー１４１から入力が無いと判断し（Ｓ１：ＮＯ）、ステップＳ２でプリセットキー１４２から入力が有ると判断する（Ｓ２：ＹＥＳ）。そして、マイコン処理部１２はプリセットキー処理Ｓ２００を実行する。マイコン処理部１２は、ステップＳ２０１ではプリセット番号確認モードであると判断し（Ｓ２０１）、表示部１３に点滅表示中のプリセット番号ｎに対応付けて受信中の周波数をプリセットテーブルに登録する（Ｓ２０２）。そして、マイコン処理部１２は、プリセットタイマーのカウント値を初期化し（Ｓ２０３）、表示部１３におけるプリセット番号ｎの点滅表示を解除する。そして、マイコン処理部１２はプリセットキー処理Ｓ２００を終了する。これにより、選択したプリセット番号ｎに対応付けて受信中の周波数をプリセット登録することができる。
【００４９】
プリセット番号確認モードのときにキー操作されなければ、マイコン処理部１２はメイン処理をループ実行してステップＳ３にてプリセットタイマーをカウントダウンしていく。やがてプリセットタイマーのカウント値は０ｍｓになり、そのときのステップＳ３において、マイコン処理部１２はプリセット番号確認モードを解除する（動作モードテーブルのプリセット番号確認モードを０にする）。このとき、マイコン処理部１２は、表示部１３におけるプリセット番号ｎの点滅表示を解除する。
【００５０】
＜プリセット消去操作＞
ユーザが、登録されているプリセットを消去したい場合は、消去したいプリセットを選択してから、プリセットキー１４２を押下する。すると、表示部１３に表示中のプリセット番号ｎが点滅表示される。点滅表示される期間は３０００ｍｓであり、この期間がプリセット消去確認モードである。ユーザは、プリセット消去確認モード中に、プリセットキー１４２を押下すると、表示部１３で表示中のプリセット番号ｎに対応付けられている周波数Ｆｎがプリセットテーブルから消去される。以下、このときのマイコン処理部１２の処理について説明する。
【００５１】
ユーザが、プリセット選択操作によって消去したいプリセット番号ｎを選択し、プリセットキー１４２を押下したとき、マイコン処理部１２は、メイン処理において、ステップＳ１でアップ／ダウンキー１４１から入力が無いと判断する（Ｓ１：ＮＯ）。次に、マイコン処理部１２は、ステップＳ２でプリセットキー１４２から入力が有ると判断し（Ｓ２：ＹＥＳ）、プリセットキー処理Ｓ２００を実行する。この段階では、動作モードテーブルでフラグ情報が１のモードはない。従って、マイコン処理部１２は、ステップＳ２０１ではプリセット番号確認モードでないと判断し（Ｓ２０１：ＮＯ）、ステップ２０２でプリセット消去確認モードでないと判断する（Ｓ２０２：ＮＯ）。次に、マイコン処理部１２は、ステップＳ２０３で、選択されている周波数はプリセット登録済みと判断し（Ｓ２０３：ＹＥＳ）、プリセット消去確認表示処理Ｓ２０７を実行することによって、表示部１３に表示中のプリセット番号ｎを点滅表示させ、動作モードテーブルのプリセット消去確認モードのフラグ情報を１にする。その後、マイコン処理部１２は、ステップＳ２０８で、プリセットタイマーのカウント値を３０００ｍｓにセットする。これにより、表示部１３に表示されるプリセット番号ｎが点滅表示され、ユーザは受信装置１がプリセット消去確認モード中であると判断することができる。
【００５２】
マイコン処理部１２のモードがプリセット消去確認モードのとき、ユーザによってプリセットキー１４２が押下されると、マイコン処理部１２は、メイン処理において、ステップＳ１でアップ／ダウンキー１４１から入力が無いと判断し（Ｓ１：ＮＯ）、ステップＳ２でプリセットキー１４２から入力が有ると判断する（Ｓ２：ＹＥＳ）。そして、マイコン処理部１２はプリセットキー処理Ｓ２００を実行する。ステップＳ２０１で、マイコン処理部１２は、現在のモードがプリセット番号確認モードでないと判断し（Ｓ２０１）、ステップ２０２でプリセット消去確認モードであると判断する（Ｓ２０２：ＹＥＳ）。そして、マイコン処理部１２は、プリセット消去処理Ｓ２０５を実行し、表示部１３に表示中のプリセット番号ｎに対応付けられている周波数Ｆｎをプリセットテーブルから消去する。そして、マイコン処理部１２は、プリセットタイマーのカウント値を初期化し（Ｓ２０３）、表示部１３におけるプリセット番号ｎの点滅表示を解除する。そして、マイコン処理部１２はプリセットキー処理Ｓ２００を終了する。これにより、登録されているプリセットを消去することができる。
【００５３】
マイコン処理部１２のモードがプリセット消去確認モードのときにキー操作されなければ、マイコン処理部１２はメイン処理をループ実行してステップＳ３にてプリセットタイマーをカウントダウンしていく。やがてプリセットタイマーのカウント値は０ｍｓになり、そのときのステップＳ３において、マイコン処理部１２はプリセット消去確認モードを解除する（動作モードテーブルのプリセット消去確認モードを０にする）。このとき、表示部１３におけるプリセット番号ｎの点滅表示が解除される。
【００５４】
以上、本発明に係るコンテンツ情報表示装置の好ましい実施形態の例について説明したが、上述した実施の形態は本発明を実施するための例示に過ぎない。例えば、本実施例においては、プリセット番号確認モード、プリセット削除確認モード、マニュアルチューニングモード中であるか否かの判断に動作モードテーブルを用いたが、プリセット番号確認モードおよびプリセット削除確認モード中か否かはプリセットタイマーのカウントダウンの経過を監視し、マニュアルチューニングモード中か否かはプリセットタイマーのカウントダウンの経過を監視するようにしても良い。ここで、カウントダウンの経過を監視とは、例えば、タイマーが０ｍｓになったか否かを判断することである。
【産業上の利用可能性】
【００５５】
本発明は、プリセット機能を有する受信装置に採用され得るが、特にラジオ放送受信可能な受信装置に好適に採用され得る。
【図面の簡単な説明】
【００５６】
【図１】本発明の好ましい実施形態による受信装置１を示すブロック図である。
【図２】メイン処理を示すフローチャートである。
【図３】アップ／ダウンキー処理を示すフローチャートである。
【図４】プリセットキー処理部を示すフローチャートである。
【符号の説明】
【００５７】
１    受信装置
１１  チューナー部
１１１  アンテナ
１２  マイコン処理部
１２１  アップ／ダウンキー処理部
１２２  プリセットキー処理部
１２３  タイマー部
１２４  メモリ部
１３  表示部
１４  入力部
１４１  アップ／ダウンキー
１４２  プリセットキー
１５  オーディオ処理部
１６  スピーカー
【図１】
0004424397.tif 000004
【図２】
0004424397.tif 000005
【図３】
0004424397.tif 000006
【図４】
0004424397.tif 000007